(57)【要約】【課題】ＡＲＣ機能によりシンク機器から音声データを出力する際、映像データと音声データとを別々に選択して出力させることが可能なシンク機器を提供する。【解決手段】上記課題を解決するために、本発明では、ＨＤＭＩケーブルと接続するＨＤＭＩ入力ポートを通じて映像データの供給をうけるシンク機器において、複数の音声データを受付ける音声入力部と、音声データを送信するＡＲＣに対応し、前記受付けた音声データを前記ＨＤＭＩ入力ポートから送信するＨＤＭＩ返信部と、前記音声入力部に入力する音声データのいずれかの選択を受付け、前記選択された音声データを前記音声入力部から前記ＨＤＭＩ返信部に出力させる制御部と、を有する。【選択図】図２
2012151725.tif 000002
【特許請求の範囲】
【請求項１】
ＨＤＭＩケーブルと接続するＨＤＭＩ入力ポートを通じて映像データの供給をうけるシンク機器において、
複数の音声データを受付ける音声入力部と、
音声データを返信するＡＲＣに対応し、前記受付けた音声データを前記ＨＤＭＩ入力ポートから送信するＨＤＭＩ返信部と、
前記音声入力部に入力する音声データのいずれかの選択を受付け、前記選択された音声データを前記音声入力部から前記ＨＤＭＩ返信部に出力させる制御部と、を有することを特徴とするシンク機器。
【請求項２】
当該シンク機器は、複数のＨＤＭＩ入力ポートを備え、
前記ＨＤＭＩ返信部により送信される音声データの出力先をいずれかの前記ＨＤＭＩ入力ポートに切替えるＳＷ部を有し、
前記制御部は、前記ＳＷ部を制御して、前記音声データの出力先の切り替えを制御することを特徴とする請求項１に記載のシンク機器。
【請求項３】
前記音声入力部から出力させる音声データの切り替え、及び前記ＨＤＭＩ入力ポートの切り替えのための操作入力を受付けるＯＳＤ画面を表示するＯＳＤ表示手段を有することを特徴とする請求項１又は請求項２のいずれかに記載のシンク機器。
【請求項４】
受信されたテレビジョン放送信号から映像データ及び音声データを抽出するチューナー部を有し、
前記抽出された音声データは、前記音声入力部に出力されることを特徴とする請求項１〜請求項３のいずれか一項に記載のシンク機器。
【発明の詳細な説明】
【技術分野】
【０００１】
本発明は、ＨＤＭＩケーブルと接続するＨＤＭＩ入力ポートを備えるシンク機器に関する。
【背景技術】
【０００２】
従来、複数の機器間を接続するインターフェースとしてＨＤＭＩ（High-Definition Multimedia Interface）が知られている（ＨＤＭＩは登録商標）。ＨＤＭＩでは、ソース機器とシンク機器とはＨＤＭＩケーブルを介して接続され、ソース機器から非圧縮形式の映像データ又は音声データをシンク機器に対して送信する（例えば、特許文献１−４参照。）。なお、映像又は音声データ等を送信する機器をソース機器といい、映像又は音声データを受信する機器をシンク機器と記載する。
【０００３】
また、ＨＤＭＩ１．４規格において、シンク機器が音声データをＨＤＭＩケーブルを介して他の機器に送信することを可能とするＡＲＣ（Audio Return Channel）機能が追加されている。例えば、レコーダーのようのソース機器と、ＨＤＭＩ出力ポートを持たない表示装置のようなシンク機器との間にリピーター機器（ＨＤＭＩ出力ポートとＨＤＭＩ入力ポートの両方を備える機器。）を介して接続を行った場合、ＨＤＭＩ１．４以前では、表示装置からの音声データをリピーター機器に出力する場合、音声出力端子間をケーブル接続することで音声を出力する必要があった。しかしＡＲＣでは、ＨＤＭＩ出力ポートを持たないシンク機器においてもＨＤＭＩ入力ポートからリピーターに音声データを出力することができる（例えば、特許文献５参照。）。
【先行技術文献】
【特許文献】
【０００４】
【特許文献１】特開２００８−２９９９３８号公報
【特許文献２】特開２００７−３１２１８２号公報
【特許文献３】特開２００７−２１３６６３号公報
【特許文献４】特開２００７−１０８１９８号公報
【特許文献５】特開２０１０−０８１４３４号公報
【発明の概要】
【発明が解決しようとする課題】
【０００５】
従来のＡＲＣでは、シンク機器は映像データと同期した音声データのみを出力し、映像データと同期していない音声データを出力させることはできなかった。例えば、シンク機器がテレビジョン放送等に係る映像データを出力する場合、ＡＲＣ機能ではこのテレビジョン放送に係る映像データと音声データとを同期させて出力することしかできなかった。
【０００６】
本発明は、上記課題にかんがみてなされたもので、ＡＲＣ機能によりシンク機器から音声データを出力する際、映像データと音声データとを別々に選択して出力させることが可能なシンク機器の提供を目的とする。
【課題を解決するための手段】
【０００７】
上記課題を解決するために、本発明では、ＨＤＭＩケーブルと接続するＨＤＭＩ入力ポートを通じて映像データの供給をうけるシンク機器において、複数の音声データを受付ける音声入力部と、音声データを送信するＡＲＣに対応し、前記受付けた音声データをＨＤＭＩ規格の信号に変換して前記ＨＤＭＩ入力ポートから送信するＨＤＭＩ返信部と、前記音声入力部に入力する音声データのいずれかの選択を受付け、前記選択された音声データを前記音声入力部から前記ＨＤＭＩ返信部に出力させる制御部と、を有する構成としてある。
【０００８】
上記のように構成された発明は、ＨＤＭＩ入力ポートに接続されたＨＤＭＩケーブルを通じて映像データの供給をうけるシンク機器に係るものである。ここで、シンク機器は、音声入力部により、複数の音声データを受付け、ＡＲＣに対応するＨＤＭＩ返信部により、受付けた音声データをＨＤＭＩ規格の信号に変換してＨＤＭＩポートから返信する。このとき、音声入力部に入力される音声データは、制御部が受付けた選択により設定されＨＤＭＩ受信部に出力される。
そのため、ＡＲＣにより音声データをＨＤＭＩ入力ポートを介して他の機器に返信する際、返信する音声データを任意に選択することが可能となる。
【発明の効果】
【０００９】
以上説明したように本発明では、ＡＲＣにより音声データをＨＤＭＩ入力ポートを介して他の機器に返信する際、返信する音声データを任意に選択することが可能となる。
【図面の簡単な説明】
【００１０】
【図１】ＡＶ（Audio Visual）システム１００の構成を説明するためのブロック構成図である。
【図２】アンプユニット８０の内部構成を説明するブロック構成図である。
【図３】表示装置７０の内部構成を説明するブロック構成図である。
【図４】ＨＤＭＩ送信部及びＨＤＭＩ受信部の構成を説明するブロック構成図である。
【図５】マイクロコンピューター７５により実行される処理を説明するフローチャートである。
【図６】一例としての表示パネル７８に表示される選択画面を説明する図である。
【発明を実施するための形態】
【００１１】
以下、下記の順序に従って本発明の実施形態を説明する。
１．第１の実施形態：
２．その他の実施形態：
【００１２】
１．第１の実施形態：
以下、図を参照して、この発明に係るシンク機器を具体化した第１の実施の形態について説明する。図１は、ＡＶ（Audio Visual）システム１００の構成を説明するためのブロック構成図である。
【００１３】
ＡＶシステム１００は、ソース機器として機能するレコーダー９０と、シンク機器として機能する表示装置７０と、リピーターとして機能するアンプユニット８０とを備えて構成されている。ここで、レコーダー９０、表示装置７０、及びアンプユニット８０は、ＨＤＭＩ（High-Definition Multimedia Interface）対応機器であり、各機器はＨＤＭＩケーブル９７,９６を介してそれぞれ接続されている。即ち、レコーダー９０は、ＨＤＭＩ出力ポートＰｏｕｔがアンプユニット８０のＨＤＭＩ入力ポートＰｉｎとＨＤＭＩケーブル９７を介して接続されている。又、アンプユニット８０は、ＨＤＭＩ出力ポートＰｏｕｔが表示装置７０のＨＤＭＩ入力ポートＰｉｎとＨＤＭＩケーブル９６を介して接続されている。
【００１４】
そのため、レコーダー９０から出力される音声データは、ＨＤＭＩケーブル９７を介してアンプユニット８０に出力され、このアンプユニット８０により音声データを増幅等された後、音声として出力される。また、レコーダー９０から出力される映像データは、アンプユニット８０を経由した後、ＨＤＭＩケーブル９６を介して表示装置７０に出力され、映像として出力される。
【００１５】
また、本実施形態に係る各機器はＨＤＭＩ１．４に対応することで、表示装置７０から出力される音声データをアンプユニット８０に送信することができる。すなわち、表示装置７０及びアンプユニット８０は、ＨＤＭＩ１．４におけるＡＲＣ（Audio Return Channel）の機能を備え、このＡＲＣ機能により表示装置７０は、音声データをＨＤＭＩ入力ポートＰｉｎからＨＤＭＩケーブル９６を介してアンプ８０に返信することができる。
【００１６】
図２は、アンプユニット８０の内部構成を説明するブロック構成図である。また、図３は、表示装置７０の内部構成を説明するブロック構成図である。なお、レコーダー９０は、従来のＨＤＭＩ規格に準ずるソース機器であるためその構成の説明は省略する。
【００１７】
アンプユニット８０は、ＨＤＭＩ出力ポートＰｏｕｔと接続されたＨＤＭＩ送信部８１と、ＨＤＭＩ入力ポートＰｉｎと接続されたＨＤＭＩ受信部８２とを備え、ソース機器から送信されるデータをシンク機器へ中継するリピーター機器として機能する。即ち、ＨＤＭＩ受信部８２は、ＨＤＭＩ送信部８１と接続されており、入力データの内、映像データをＨＤＭＩ送信部８１に接続されたＨＤＭＩ出力ポートＰｏｕｔから出力することで、レコーダー９０と表示装置７０との間で映像データの中継を行う。さらに、アンプユニット８０はＡＲＣにも対応しており、ＨＤＭＩ出力ポートＰｏｕｔを通じて音声データを受信することができる。
【００１８】
また、アンプユニット８０は、更に、音声処理部８３と、マイクロコンピューター８４と、ＳＰＤＩＦ受信部８５と、スピーカー８６とを備えて構成されている。マイクロコンピューター８４は、アンプユニット８０における統合的な制御を行う。ＳＰＤＩＦ受信部８５は、ＨＤＭＩ送信部８１のリザーブライン（後述）と接続され、このリザーブラインから出力されるＳＰＤＩＦ（Sony Philips Digital Inter Face）形式の音声データを受信する。音声処理部８３は、ＨＤＭＩ受信部８２及びＳＰＤＩＦ受信部８５と接続しており、ＨＤＭＩ受信部８２から出力されるＴＭＤＳ方式の音声データ、又はＳＰＤＩＦ受信部８５から出力される音声データに対して、デジタル・アナログ変換及び増幅処理等を施しスピーカー８６に出力する。そのため、スピーカー８６からはこの音声データに対応する音声が出力される。
【００１９】
表示装置７０は、ＨＤＭＩ受信部７１と、音声入力部７２と、チューナー部７３と、ＳＰＤＩＦ送信部７４と、マイクロコンピューター７５と、ＳＷ部７６と、映像処理回路７７と、表示パネル７８と、ソース種類検出回路７９と、を備えて構成されている。表示装置７０は、レコーダー９０に対してシンク機器として機能し、ＨＤＭＩケーブル９６を介して受信した映像データをもとに表示パネル７８により映像を表示する。また、表示装置７０は、ＡＲＣに対応しており、ＨＤＭＩケーブル９６に含まれるリザーブライン（後述）を通じて音声データをアンプユニット８０に出力することができる。
【００２０】
チューナー部７３は、図示しないアンテナが受信したテレビジョン放送信号から映像データと音声データを抽出し、デジタルデータとして復調する。音声入力部７２は、チューナー部７３が復調した音声データ又は、外部入力端子を介して入力される音声データ（例えば、コンポジット音声信号、コンポーネント音声信号）を、マイクロコンピューター７５からの制御コマンドに応じて選択して出力する。
【００２１】
ＳＰＤＩＦ送信部７４は、音声入力部７２から出力された音声データをＳＰＤＩＦ規格に対応した信号形式に変換して、ＨＤＭＩ受信部７１に出力する。ＳＰＤＩＦ送信部７４は、入力された音声データをＳＰＤＩＦ信号に変換する変換回路と、変換されたＳＰＤＩＦ信号を増幅してＨＤＭＩ受信部７１のリザーブライン（後述）に出力する送信回路とを備えて構成されている。
【００２２】
ＨＤＭＩ受信部７１は、ＳＷ部７６を介してＨＤＭＩ入力ポートＰｉｎ１〜３と接続し、このＨＤＭＩ入力ポートＰｉｎ１〜３に接続されたＨＤＭＩケーブル９６を通じて入力する映像データ及び制御データを受信する。また、ＨＤＭＩ受信部７１は、ＨＤＭＩ１．４のＡＲＣに対応しており、リザーブライン（後述）を通じて音声データをＨＤＭＩ入力ポートＰｉｎから出力させることができる。そのため、ＨＤＭＩ受信部７１及びＳＰＤＩＦ送信部７４により本発明のＨＤＭＩ返信部を実現する。
【００２３】
図４は、ＨＤＭＩ送信部及びＨＤＭＩ受信部の構成を説明するブロック構成図である。ＨＤＭＩ受信部７１は、映像、音声、同期の各データを受信するＨＤＭＩＲｘ７１ａと、ＣＥＣ（Consumer Electronics Control）に応じた制御コマンドを送受信するＣＥＣ制御部７１ｂと、リザーブラインを構成するリザーブチャンネル７１ｃとを備えて構成されている。本実施形態では、リザーブラインを、リザーブチャンネル７１ｃ,８１ｃ、ＨＤＭＩ入力ポートＰｉｎ及びＨＤＭＩ出力ポートＰｏｕｔの１４ピン、更にはこの１４ピンを繋ぐ配線により構成されるラインとして記載する。また、ＨＤＭＩ送信部８１は、映像、音声、同期の各データを送信するＨＤＭＩＴｘ８１ａと、ＣＥＣに応じた制御コマンドを送受信するＣＥＣ制御部８１ｂと、リザーブラインを構成するリザーブチャンネル８１ｃを備えて構成されている。
【００２４】
上記構成により、ＨＤＭＩ送信部８１に入力した映像、音声、同期の各データは、ＨＤＭＩＴｘ８１ａを経由してＨＤＭＩケーブル９６の各チャンネルからＨＤＭＩ受信部７１のＨＤＭＩＲｘ７１ａに送信される。また、ＣＥＣ制御部７１ｂ、８１ｂ間では、ＣＥＣに応じた制御コマンドがＨＤＭＩケーブル９６を通じて互いに送受信される。さらに、リザーブチャンネル７１ｃ、８１ｃは、ＨＤＭＩ入力ポートＰｉｎ及びＨＤＭＩ出力ポートＰｏｕｔにおける１４ピンに接続されており、ＡＲＣに準じた通信を行う。即ち、このリザーブラインを用いることで、ＨＤＭＩ受信部７１からＨＤＭＩ送信部８１へ音声データの返信を行うことが可能となる。
【００２５】
ＳＷ部７６は、入力側でＨＤＭＩ受信部７１と接続され、出力側で各ＨＤＭＩ入力ポートＰｉｎ１〜３の１４ピンと接続されている。また、ＳＷ部７６は、マイクロコンピューター７５からの制御を受け、各ＨＤＭＩ入力ポートＰｉｎとの接続を切替えることで、音声データを返信するためのリザーブラインを切替える。本実施形態では、表示装置７０は各ＨＤＭＩ出力ポート１〜３に接続される機器との間で３個のリザーブラインを構成する。
【００２６】
マイクロコンピューター７５は、図示しないＣＰＵや、ＲＯＭ、更にはＲＡＭを備えて構成され、ＣＰＵがＲＯＭに記録されたプログラムを実行することで、表示装置７０における統合的な処理を実行する。具体的には、マイクロコンピューター７５は、ＲＯＭに記録されたプログラムを実行することで、表示パネル７８にＯＳＤ映像を表示させるための機能や、ＡＲＣ機能によりアンプユニット８０に送信する音声データの選択及びこの音声データが出力されるＨＤＭＩ入力ポートＰｉｎの切り替えを行う機能を実行する。そのため、マイクロコンピューター７５は本発明の制御部を実現する。
【００２７】
ソース種類検出回路７９は、ＨＤＭＩケーブルを介して接続された機器の機能を判断する。例えば、ソース種類検出回路７９は、リザーブラインに流れる電位をもとにＨＤＭＩケーブル９６に接続された機器がＡＲＣに対応するか否かを判断する。
【００２８】
図５は、マイクロコンピューター７５により実行される処理を説明するフローチャートである。図５により示す処理は、図１に示すように表示装置７０がアンプユニット８０に接続された状態で、表示装置７０からアンプユニット８０に返信される音声データ、及びリザーブラインの切り替えを行うものである。
【００２９】
ユーザがリモコン装置等を用いて所定のチャンネルを選局する旨の操作入力を行うと、ステップＳ１では、マイクロコンピューター７５は、この操作入力を受付ける。そのため、ステップＳ２では、マイクロコンピューター７５は、チューナー部７３に対して選局されたチャンネルに係る映像データ及び音声データを抽出させる。この状態において、表示パネル７８には選局チャンネルに係る映像が表示され、アンプユニット８０にはこの映像に同期する音声データがＨＤＭＩケーブル９６のリザーブラインを介して出力される。なお、仮に、アンプユニット８０がＡＲＣに対応していない場合は、当然、ステップＳ１で選局されたチャンネルに係る音声データがＨＤＭＩケーブル９６を介して出力されていても、アンプユニット８０はこの音声データをもとに音声を出力しない。
【００３０】
ステップＳ３では、マイクロコンピューター７５は、リモコン装置等を介してユーザからの選択画面の表示を行う旨の操作入力を受付けると（ステップＳ３：ＹＥＳ）、ステップＳ４では、マイクロコンピューター７５は、ＨＤＭＩケーブル９６を介して接続されたアンプユニット８０がＡＲＣに対応しているか否かを判断する。具体的には、マイクロコンピューター７５は、ソース種類検出回路７９を介して接続先の機器の情報を受信しており、この受信情報からアンプユニット８０がＡＲＣに対応しているか否かを判断する。
【００３１】
アンプユニット８０がＡＲＣに対応していない場合（ステップＳ５：ＮＯ）、マイクロコンピューター７５は、処理を終了する。
【００３２】
アンプユニット８０がＡＲＣに対応している場合（ステップＳ５：ＹＥＳ）、マイクロコンピューター７５は、ステップＳ６において、ＯＳＤ機能により表示パネル７８に選択画面を表示させる。ステップＳ６の処理によりマイクロコンピューター７５は、本発明のＯＳＤ表示手段を実現する。
【００３３】
図６は、一例としての表示パネル７８に表示される選択画面を説明する図である。図６では、図中左部に、選択された音声データが出力されるＨＤＭＩ入力ポートＰｉｎの候補が表示され（Ａ）、図中右部に、ＡＲＣ機能によりアンプユニット８０に返信される音声データの候補が表示される（Ｂ）。本実施形態では、音声入力部７２は、チューナー部７３からの音声データ、外部入力端子からのコンポジット音声、コンポーネント音声が入力されるため、上記いずれかの音声が音声候補となる。同様に、表示装置７０は３個のＨＤＭＩ入力ポートＰｉｎ１〜３を備えるため、上記いずれかのＨＤＭＩ入力１〜３が候補となる。そのため、ユーザはリモコン装置等を操作して、スライドバーに表示される各候補をそれぞれ選択することで、マイクロコンピューター７５に対して入力音声データ及びＨＤＭＩ入力ポートＰｉｎの選択入力を行う。
【００３４】
マイクロコンピューター７５は、ステップＳ７において、リモコン装置を介した入力音声並びにＨＤＭＩ入力ポートＰｉｎの選択を受付けると（ステップＳ７：ＹＥＳ）、ステップＳ８では、選択された入力音声及びＨＤＭＩ入力ポートＰｉｎの切り替えを行う。例えば、ユーザによりコンポジット端子から入力されるコンポジット音声、及びＨＤＭＩ入力ポートＰｉｎ３が選択された場合は、マイクロコンピューター７５は、音声入力部７２に対して選択されたコンポジット音声をＳＰＤＩＦ送信部７４に出力させ、ＳＷ部７６に対して選択されたＨＤＭＩ入力ポートＰｉｎ３への出力切り替えを実行させる。
【００３５】
そのため、選択されたＨＤＭＩ入力ポートＰｉｎを通じて同選択された音声入力がアンプユニット８０に出力される。上記の例においては、表示パネル７８は現在の選局チャンネルに係る映像を表示するが、ＨＤＭＩ入力ポートＰｉｎ３を用いて接続されたアンプユニット８０からは、リザーブラインを通じてコンポジット音声が出力される。即ち、アンプユニット８０からは、表示装置７０が表示する映像と非同期したコンポジット音声が出力されることとなる。以上、第１の実施形態に係るシンク機器を説明した。
【００３６】
２．その他の実施形態：
本発明は、様々な実施形態が存在する。
シンク機器の実施形態として表示装置を用いて説明することは一例であり、ＨＤＭＩ入力ポートＰｉｎを備える機器であればどの様な機器であってもよい。
また、リピーター機器としてアンプユニットを用いることは一例であり、リピーターとして機能するものであればどの様なものであってもよい。
【００３７】
以上説明したように、本実施形態に係るシンク機器は、音声入力部により、複数の音声データを受付け、ＡＲＣに対応するＨＤＭＩ返信部により、受付けた音声データをＨＤＭＩポートから返信する。このとき、音声入力部に入力される音声データは、制御部が受付けた選択により設定されＨＤＭＩ受信部に出力される。そのため、ＡＲＣにより音声データをＨＤＭＩ入力ポートを介して他の機器に返信する際、返信する音声データを任意に選択することが可能となる。
【００３８】
また、シンク機器は、複数のＨＤＭＩ入力ポートを備え、マイクロコンピューターは、ＳＷ部を制御して音声データの出力先の切り替えを制御する構成としてもよい。
上記のように構成された発明では、音声データの出力先を柔軟に変更することが可能となり、本発明をより効果的に使用することができる。
【００３９】
そして、音声入力部から出力させる音声データの切り替え、及びＨＤＭＩ入力ポートの切り替えのための操作入力を受付けるＯＳＤ画面を表示する構成としてもよい。
上記のように構成された発明では、ユーザの視覚を通じて本発明に係る操作を行うことが可能となる。
さらに、シンク機器は、チューナー部を有し、このチューナー部により取得された音声データを音声入力部に出力する構成としてもよい。
上記のように構成された発明では、テレビジョン放送に係る同期した映像データと音声データとを取得した場合でも、各データを別々に出力させることが可能となる。
【００４０】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００４１】
７０…表示装置、７１…ＨＤＭＩ受信部、７１ａ…ＨＤＭＩＲｘ、７１ｂ…ＣＥＣ制御部、７１ｃ…リザーブチャンネル、７２…音声入力部、７３…チューナー部、７４…ＳＰＤＩＦ送信部、７５…マイクロコンピューター、７６…ＳＷ部、７７…映像処理回路、７８…表示パネル、７９…ソース種類検出回路、８０…アンプユニット、８１…ＨＤＭＩ送信部、８１ａ…ＨＤＭＩＴｘ、８１ｂ…ＣＥＣ制御部、８１ｃ…リザーブチャンネル、８２…ＨＤＭＩ受信部、８３…音声処理部、８４…マイクロコンピューター、８５…ＳＰＤＩＦ受信部、８６…スピーカー、９０…レコーダー、９７、９６…ＨＤＭＩケーブル、１００…ＡＶシステム
【図１】
2012151725.tif 000003
【図２】
2012151725.tif 000004
【図３】
2012151725.tif 000005
【図４】
2012151725.tif 000006
【図５】
2012151725.tif 000007
【図６】
2012151725.tif 000008